(57)【要約】【課題】ネットワーク上のファイルを端末機器上に保存する作業を，操作者の手を煩わすことなく確実に行う。【解決手段】ネットワーク上のファイルを端末機器上の記憶装置に保存するとき，保存先フォルダあるいはそれ以外のフォルダにおいて，ネットワーク上のファイルと同名のファイルまたは同一内容のファイルが既に存在していないか自動的に調査する。ファイルの同一性を判断できる情報の提供と最適な保存条件の提案を操作者に行う。操作者は他の作業を一切行わなくても保存処理を実行するか中止するか二者択一で判断できる。また操作者の介在なしに自動的に最適な条件の保存処理を実行する。【選択図】  図１
2005258862.tif 000002
【特許請求の範囲】
【請求項１】
ネットワーク上のファイルと同名で同一内容のファイルが端末機器上の保存先フォルダあるいはそれ以外のフォルダに存在していることを確認する手段と，ネットワーク上のファイルと同名で異なる内容のファイルが端末機器上の保存先フォルダあるいはそれ以外のフォルダに存在していることを確認する手段と，ネットワーク上のファイルと同名のファイルが端末機器上の保存先フォルダあるいはそれ以外のフォルダに存在せず別名で同一内容のファイルが保存先フォルダあるいはそれ以外のフォルダに存在することを確認する手段と，ネットワーク上のファイルと同名のファイルが端末機器上の保存先フォルダあるいはそれ以外のフォルダに存在せず別名で同一内容のファイルも保存先フォルダあるいはそれ以外のフォルダに存在しないことを確認する手段とを備えたことを特徴とする，ネットワーク上のファイルを端末機器上の記憶装置に保存するコンピュータプログラムであって，ネットワーク上のファイルと同名で同一内容のファイルが端末機器上の保存先フォルダあるいはそれ以外のフォルダに存在していた場合は保存処理を中止することを操作者に提案する機能と，ネットワーク上のファイルと同名で異なる内容のファイルが端末機器上の保存先フォルダあるいはそれ以外のフォルダに存在していた場合はネットワーク上のファイルをダウンロードしたのち名前を変更して保存することを操作者に提案する機能と，ネットワーク上のファイルと同名のファイルが端末機器上の保存先フォルダあるいはそれ以外のフォルダに存在せず別名で同一内容のファイルが保存先フォルダあるいはそれ以外のフォルダに存在していた場合は保存処理を中止することを操作者に提案する機能と，ネットワーク上のファイルと同名のファイルが端末機器上の保存先フォルダあるいはそれ以外のフォルダに存在せず別名で同一内容のファイルも保存先フォルダあるいはそれ以外のフォルダに存在しなかった場合はネットワーク上のファイルをダウンロードしてそのまま保存することを操作者に提案する機能とを備えたことを特徴とするネットワーク上のファイルを端末機器上の記憶装置に保存するコンピュータプログラム。
【請求項２】
ネットワーク上のファイルと端末機器上の保存先フォルダあるいはそれ以外のフォルダに存在する同名または同一内容のファイルとを，操作者が視覚的に同一性を確認できる形で端末機器の画面上に並べて表示する機能を備えたことを特徴とする請求項１に記載のコンピュータプログラムであって，請求項１に記載のコンピュータプログラムが提案した保存方法を操作者が変更する手段と，請求項１に記載のコンピュータプログラムが提案した保存方法または操作者が変更した保存方法で保存処理を実行するか中止するかを二者択一の操作で操作者が決定できる手段と，請求項１に記載のコンピュータプログラムが提案した保存方法を操作者の介在なしに自動的に実行する手段とを備えたことを特徴とする請求項１に記載のコンピュータプログラム。
【発明の詳細な説明】
【技術分野】
【０００１】
本発明は，ネットワーク上のファイルをネットワーク端末機器上の記憶装置にダウンロードして保存するコンピュータプログラム技術に関するものであり，特にネットワーク上のファイルと同名のファイルが端末機器上の保存先フォルダあるいはそれ以外のフォルダに存在する場合は異なる内容のファイルを保存する機会が失われないようにする技術と，ネットワーク上のファイルと別名で同一内容のファイルが端末機器上の保存先フォルダあるいはそれ以外のフォルダに存在する場合は重複して保存しないようにする技術と，それらの判断を自動的に行って操作者の作業量を軽減する技術に関する。
【背景技術】
【０００２】
インターネットに代表されるネットワーク上に存在するファイルは，ネットワーク端末機器に実装されたブラウザと呼ばれるコンピュータプログラムによって，端末機器の画面に表示されたり端末機器上の記憶装置にダウンロードして保存される。
【０００３】
ネットワーク上のファイルを端末機器上の記憶装置にダウンロードして保存するとき，保存先フォルダにネットワーク上のファイルと同名のファイルが既に存在していることがある。その場合，代表的なブラウザであるマイクロソフト社のインターネットエクスプローラでは，同名ファイルが存在している旨のメッセージを表示して操作者に確認を促すが，内容まで同一かどうか判断できる情報の表示は一切行っていない。同一内容であれば保存する必要はないが，ファイル名が同じだからといって内容まで同じであるとは限らない。保存先フォルダに同名ファイルが存在するということだけで単純に保存しないと判断すると，ネットワーク上のファイルが異なる内容の場合に保存する機会を失ってしまう。したがって同一内容でなければ保存することを希望する操作者は，ネットワーク上のファイルと保存先フォルダに存在する同名ファイルが同一内容かどうかを，ブラウザとは異なる別のコンピュータプログラムを一つ以上起動して確認しなければならない。例えば画像データファイルの場合には，画像閲覧プログラムによって保存先フォルダに存在する同名ファイルを実際に表示して目視で内容を確認することになる。目視での判断が難しい場合には，さらに別のファイル情報表示プログラムによってファイルサイズや画素数を調査しなければならない。ファイルの同一性を調査する場合，データを１バイト毎に比較しなければ完全には判断できない場合もあり，そのような比較プログラムは端末機器上に標準では搭載されておらず，保存するかしないかを事実上判断できないこともある。このようにネットワーク上のファイルを保存する際，同名ファイルが保存先フォルダに存在していた場合には，どのようなブラウザを使用していても操作者の作業が極めて煩雑になっているのが現状である。
【０００４】
同様に，ネットワーク上のファイルを端末機器上の記憶装置にダウンロードして保存するとき，保存先フォルダあるいはそれ以外のフォルダにネットワーク上のファイルとは異なる別のファイル名であるが同一の内容のファイルが既に存在していることがある。その場合，実在するどのようなブラウザにおいても，別名で同一内容のファイルが存在している旨の情報は一切表示されない。したがって操作者は知らないうちに同じ内容のファイルを重複して保存することになってしまい，記憶装置の容量を無駄に占有してしまう。これを避けるためには，ネットワーク上のファイルを保存するときに保存先フォルダあるいはそれ以外のフォルダに存在するファイルの内容がネットワーク上のファイルと同一でないことをブラウザとは異なる一つ以上のコンピュータプログラムによって操作者が全て確認しなければならないが，ファイル数が多数の場合，手作業では事実上不可能である。
【０００５】
ネットワーク上のファイルを転送するときの同名ファイルに係わる先行技術は特許文献１が挙げられる。特許文献１では保存先の記憶容量を確保するために，転送するファイルと同名の保存先ファイルは削除する処理を行っている。このとき同名であれば無条件に削除するため，同名かつ異なる内容のファイルは保存されず，また同一内容かどうかを確認していないので同名で同一内容のファイルを重複して転送してしまうことになる。
【特許文献１】特開平５−２６６１５４号公報
【０００６】
またネットワーク上のファイルを保存するときに操作者を支援するコンピュータプログラムの先行技術は特許文献２が挙げられる。特許文献２ではネットワークから取得したデータを保存するとき，データ毎に特有のフォルダ名とファイル名をプログラムが自動的に決定して保存するものである。操作者の作業なしに保存を行うことができデータの検索もできるプログラムであるが，操作者の希望するフォルダには保存できない。また保存するデータの内容を確認していないため，同名で異なる内容のファイルが保存されなかったり，別名で同一内容のファイルが保存されたりすることがある。
【特許文献２】特開２００２−５６００８号公報
【発明の開示】
【発明が解決しようとする課題】
【０００７】
本発明はこのような状況を鑑みてなされたものであり，ネットワーク上のファイルを端末機器上の記憶装置に保存するとき，保存先フォルダあるいはそれ以外のフォルダにおいてネットワーク上のファイルと同名のファイルまたは同一内容のファイルが既に存在していないか自動的に調査を行う機能と，ファイルの同一性を判断できる情報を提供する機能と，最適な保存条件の提案を操作者に行う機能と，操作者が他の作業を一切行わなくても保存処理を実行するか中止するか二者択一で判断して選択できる手段と，操作者の介在なしに自動的に最適な条件の保存処理を実行する機能とを提供することを課題とするコンピュータプログラムである。
【課題を解決するための手段】
【０００８】
上記の課題を解決するために，本発明によれば図１に示すシステム構成でネットワーク上のファイルを端末機器上の記憶装置に保存する。インターネットに代表されるネットワーク（１００）上に存在し，新たに端末機器（２００）上の記憶装置（２０２）に保存しようとする新ファイル（１０１）のファイル名を例えばｐｈｏｔｏ．ｊｐｇとする。端末機器（２００）には新ファイル（１０１）を閲覧したりダウンロードしたりするためのブラウザ（２０１）および本発明によるコンピュータプログラム（２０５）が実装されている。端末機器（２００）上の記憶装置（２０２）には，新ファイル（１０１）とファイル名は異なるがファイル内容が同一の例えばｐｉｃ．ｊｐｇという既存ファイル（２０３）と，新ファイル（１０１）とファイル名は同一であるが，内容が異なる例えばｐｈｏｔｏ．ｊｐｇという既存ファイル（２０４）が存在している場合がある。
【０００９】
本発明によるコンピュータプログラム（２０５）は図２に示すステップで構成される。すなわち，ブラウザ（２０１）で閲覧していて保存しようとする新ファイル（１０１）をネットワークからダウンロードするステップ（Ｓ１）と，保存先フォルダを決定するステップ（Ｓ２）と，保存先フォルダあるいはそれ以外のフォルダに同名ファイルが存在するかどうか調査するステップ（Ｓ３）と，同名ファイルが存在していれば同一内容かどうか確認するステップ（Ｓ４）と，同名ファイルが存在していなければ異なる別のファイル名で同一内容のファイルが存在していないか調査するステップ（Ｓ５）と，同名の既存ファイル（２０４）または同一内容の既存ファイル（２０３）が存在する場合に新ファイル（１０１）と既存ファイルとが同一かどうかを視覚的に比較して判断ができるような表示を行うステップ（Ｓ６）と，最適な保存方法を自動的に選択して操作者に提案するステップ（Ｓ７）と，操作者に対して保存処理を実行するか中止するかを確認するステップ（Ｓ８）と，保存処理を実行するステップ（Ｓ９）とによって構成されている。これらステップの詳細な処理内容を次に記述する。
【００１０】
ステップＳ１は，ブラウザ（２０１）で閲覧している新ファイル（１０１）をネットワーク（１００）上からダウンロードし，端末機器（２００）上の記憶装置（２０２）の一時的なフォルダに保存するステップである。このとき操作者は新ファイル（１０１）のネットワーク上の所在位置情報であるＵＲＬを本発明によるコンピュータプログラム（２０５）に通知する操作を行う。ブラウザ（２０１）で閲覧していなくても既知のＵＲＬを本発明によるコンピュータプログラム（２０５）に直接通知してもよい。また図７に示すようにブラウザ（２０１）の機能を利用してＵＲＬを本発明によるコンピュータプログラム（２０５）に直接通知してもよい。本発明によるコンピュータプログラム（２０５）はＵＲＬの通知を受けると，ＵＲＬが示すファイルのダウンロードを行う。ネットワークからのファイルダウンロードにはＦＴＰやＨＴＴＰといったインターネットで一般的に用いられるファイル転送プロトコルを使用するが，独自の転送プロトコルを用いてもよい。ダウンロードしたファイルは一時的なフォルダに保存する。なおブラウザ（２０１）自身の機能を使用してファイルを一時的なフォルダにダウンロードすることにより，このステップ（Ｓ１）を省略してもよい。
【００１１】
ステップＳ２は，前のステップ（Ｓ１）で一時的なフォルダに保存した新ファイル（１０１）の最終的な保存場所である保存先フォルダを決定するステップである。操作者は保存先フォルダの場所を本発明によるコンピュータプログラム（２０５）に通知する操作を行うが，あらかじめ保存先フォルダを定めておいてこのステップ（Ｓ２）を省略してもよい。また本発明によるコンピュータプログラム（２０５）が操作者に対してあらかじめ定めておいたいくつかの保存先フォルダ，あるいはこれまでに保存したことのある保存先フォルダを列挙して提示し，操作者がそのうちのいずれかを選択してもよい。
【００１２】
ステップＳ３は，前のステップ（Ｓ２）で決定した保存先フォルダで，一時的なフォルダにダウンロードした新ファイル（１０１）と同名のファイルが存在するかどうか調査を行うステップである。保存先フォルダに存在するファイルを全て検索し，新ファイル（１０１）と同名のものが無いかどうか確認する。このとき保存先フォルダに限らずそのサブフォルダやその他のフォルダを対象に調査を行ってもよい。
【００１３】
ステップＳ４は，前のステップ（Ｓ３）で同名ファイルが存在していることが判明した場合に，それらが同一内容かどうか確認を行うステップである。第一にファイルサイズの比較と第二にファイル内容の比較によって，一時的なフォルダに保存した新ファイル（１０１）と，保存先フォルダあるいはそれ以外のフォルダに存在した同名ファイルが同一かどうかを確認する。ファイル内容の比較では処理時間を短縮するために，最初から全ての内容を走査せずにファイル先頭および末尾の数バイトの調査から行う。最終的にはファイル内容の全てを１バイトごとに比較しなければ同一かどうか判明しない場合もある。このステップ（Ｓ４）によって図１における既存ファイル（２０４）は新ファイル（１０１）と同名であるが同一内容ではないことが判明する。
【００１４】
ステップＳ５は，前のステップ（Ｓ３）で同名ファイルが存在していなかったことが判明した場合に，異なる別のファイル名で同一内容のファイルが保存先フォルダに存在していないか調査を行うステップである。保存先フォルダに存在するファイルを全て検索し，新ファイル（１０１）と同一内容のものが無いかどうか，第一にファイルサイズの比較と第二にファイル内容の比較によって確認する。このとき保存先フォルダに限らずそのサブフォルダやその他のフォルダを対象に調査を行ってもよい。ファイル内容の比較では処理時間を短縮するために，最初から全ての内容を走査せずにファイル先頭および末尾の数バイトの調査から行う。最終的にはファイル内容の全てを１バイトごとに比較しなければ同一かどうか判明しない場合もある。このステップ（Ｓ５）によって図１における既存ファイル（２０３）は新ファイル（１０１）と別名であるが同一内容であることが判明する。
【００１５】
ステップＳ６は，同名の既存ファイル（２０４）または別名で同一内容の既存ファイル（２０３）が存在する場合に，新ファイル（１０１）と既存ファイルが同一かどうかを操作者が視覚的に比較して判断できるような表示を行うステップである。このときファイルが画像データである場合，本発明によるコンピュータプログラム（２０５）は画面上に新ファイルと既存ファイルとを図８で示す通りに並べて表示し，操作者が一見してその同一性を判断できるようにする。またファイルが画像データ以外の場合でも図９で示す通りファイル内容の模式図を並べて異なるポイントが視覚的に分かるようにマーキング表示することによって操作者が一見してその同一性を判断できるようにする。いずれの場合もファイルサイズのバイト数およびファイルの先頭と末尾の内容を数バイト分だけ画面表示し，操作者が新ファイルと既存ファイルの同一性を判断するための支援情報とする。
【００１６】
ステップＳ７は，新ファイル（１０１）の最適な保存方法を自動的に選択して，操作者に提案するステップである。
【００１７】
新ファイル（１０１）と同名で同一内容の既存ファイルが保存先フォルダあるいはそれ以外のフォルダに存在した場合，新ファイル（１０１）の保存方法は図３に示す項目が考えられる。すなわち保存中止と，新ファイルを保存せずに既存ファイルの名前を変更する方法とである。このとき同一ファイルが既に存在しているわけであるから重複して新ファイル（１０１）を保存する必要はないため，本発明によるコンピュータプログラム（２０５）は上記方法の中から「保存中止」を自動的に最適な方法として選択し，操作者に提案する。なお，操作者はこの選択を変更することができる。
【００１８】
新ファイル（１０１）と同名で異なる内容の既存ファイル（２０４）が保存先フォルダあるいはそれ以外のフォルダに存在した場合，新ファイル（１０１）の保存方法は図４に示す項目が考えられる。すなわちファイル名に連番を付けて新ファイルを保存する方法と，新ファイル名を変更して保存する方法と，既存ファイル名を変更して新ファイルを保存する方法と，既存ファイルを削除して新ファイルを保存する方法と，新ファイル（１０１）を保存せず既存ファイルを残す方法と，保存中止とである。このとき新ファイル（１０１）は既存ファイル（２０４）と同名であっても異なる内容であれば保存する必要があり，また操作者によるファイル名の明示的な変更は必ずしも毎回必要としないため，本発明によるコンピュータプログラム（２０５）は上記方法の中から「ファイル名に連番を付けて新ファイルを保存する方法」を自動的に最適な方法として選択し，操作者に提案する。なお，操作者はこの選択を変更することができる。
【００１９】
新ファイル（１０１）と同名の既存ファイルが存在せず別名で同一内容の既存ファイル（２０３）が保存先フォルダあるいはそれ以外のフォルダに存在した場合，新ファイル（１０１）の保存方法は図５に示す項目が考えられる。すなわち保存中止と，新ファイルを保存せず既存ファイルの名前を変更する方法とである。このとき新ファイル（１０１）は既存ファイル（２０３）と同一内容であるので重複して保存する必要はなく，また操作者によるファイル名の明示的な変更は必ずしも毎回必要としないため，本発明によるコンピュータプログラム（２０５）は上記方法の中から「保存中止」を自動的に最適な方法として選択し，操作者に提案する。なお，操作者はこの選択を変更することができる。
【００２０】
新ファイル（１０１）と同名の既存ファイルおよび別名で同一内容の既存ファイルが保存先フォルダあるいはそれ以外のフォルダに存在しない場合，新ファイル（１０１）の保存方法は図６に示す項目が考えられる。すなわち新ファイルをそのまま保存する方法と，保存中止とである。このとき新ファイル（１０１）は全く新しい内容のファイルであるから，本発明によるコンピュータプログラム（２０５）は上記方法の中から「新ファイルをそのまま保存する方法」を自動的に最適な方法として選択し，操作者に提案する。なお，操作者はこの選択を変更することができる。
【００２１】
ステップＳ８は，前のステップ（Ｓ７）で自動的に選択した保存方法または操作者によって変更された保存方法によって保存処理を実行するか，中止するかを確認するためのステップである。本発明によるコンピュータプログラム（２０５）は二者択一の選択肢を操作者に提示し，操作者からの回答を待機する。このとき操作者からの回答が得られない場合は中止という回答を得られたと判断してもよい。また本発明によるコンピュータプログラム（２０５）が提案した保存方法によって保存処理を自動的に実行することが操作者によってあらかじめ許可されている場合は，このステップを省略してもよい。
【００２２】
ステップＳ９は，前のステップ（Ｓ８）で保存処理の実行許可を得られた場合に本発明によるコンピュータプログラム（２０５）によって保存処理を実行するステップである。保存方法は前のステップ（Ｓ７）で自動選択した方法または操作者によって変更された方法によって行う。
【発明の効果】
【００２３】
上記のように，操作者は本発明によるコンピュータプログラム（２０５）に対してダウンロードする新ファイルのＵＲＬおよび保存先フォルダを通知する操作と，本発明によるコンピュータプログラム（２０５）が自動で選択した最適な保存方法による保存処理を実行するか中止するか二者択一で選択する操作とによって，ネットワーク上の新ファイルと同名のファイルが端末機器上の保存先フォルダあるいはそれ以外のフォルダに存在する場合でも，異なる内容であれば保存する機会を失うことなく確実に保存することと，ネットワーク上の新ファイルと異なるファイル名で同一内容のファイルが端末機器上の保存先フォルダあるいはそれ以外のフォルダに存在する場合でも，重複して保存しないこととが可能であり，さらには，あらかじめ操作者が本発明によるコンピュータプログラム（２０５）に対して保存先フォルダと自動実行の許可を与えておけば，新ファイルのＵＲＬを本発明によるコンピュータプログラム（２０５）に通知する唯一の操作で上記の確実な保存処理を行うことが可能となり，本発明によるコンピュータプログラム（２０５）によって，ネットワーク上のファイルを端末機器上に保存する作業を，操作者の手を煩わすことなく確実に行うことができるようになる。
【発明を実施するための最良の形態】
【００２４】
最良の形態を図１に示す。すなわち，ネットワーク（１００）はインターネットに代表されるものであり，端末機器（２００）とは異なるコンピュータ装置が相互に接続された通信網である。端末機器（２００）はパーソナルコンピュータまたはＰＤＡあるいは携帯電話といった情報端末装置であり，本発明によるコンピュータプログラム（２０５）とブラウザ（２０１）が実装され，また本発明によるコンピュータプログラム（２０５）に対してネットワーク上の新ファイル（１０１）のＵＲＬを通知するための手段を持ち，さらにはファイルを保存するためのハードディスク装置またはメモリ装置といった記憶装置（２０２）を持つ。なおブラウザ（２０１）は必ずしも実装されていなくてもよい。ブラウザあるいはその他実装されたコンピュータプログラム内部に本発明によるコンピュータプログラム（２０５）の機能が実装されていてもよい。
【実施例１】
【００２５】
図７は本発明によるコンピュータプログラム（２０５）の１実施例の操作画面を示したものであって，マイクロソフト社のインターネットエクスプローラの拡張機能を利用して本発明によるコンピュータプログラム（２０５）にＵＲＬを通知するための手段を実装した例である。インターネットエクスプローラが使用するレジストリと呼ばれる設定項目ＨＫＥＹ_ＣＵＲＲＥＮＴ_ＵＳＥＲ￥Ｓｏｆｔｗａｒｅ￥Ｍｉｃｒｏｓｏｆｔ￥Ｉｎｔｅｒｎｅｔ  Ｅｘｐｌｏｒｅｒ￥ＭｅｎｕＥｘｔに，本発明によるコンピュータプログラム（２０５）に対してＵＲＬを通知するためのスクリプトを登録した。
【００２６】
図８は本発明によるコンピュータプログラム（２０５）の１実施例の実行画面を示したものであって，新ファイルをネットワークからダウンロードする機能と，保存先のフォルダを操作者が選択する手段と，保存先フォルダあるいはそれ以外のフォルダに同名または同一内容の既存ファイルがあるかどうか調査を行う機能と，既存ファイルがあった場合にダウンロードした新ファイルと既存ファイルとをそれらの同一性を確認できる情報とともに並べて視覚的に表示する機能と，最適な保存方法を自動で選択して操作者に対して提案する機能と，その保存方法を操作者が変更する手段と，提案した保存方法または操作者によって変更された保存方法によって保存処理を実行するかどうか操作者が選択を行う手段と，保存処理を実際に実行する機能とを実装したものである。
【図面の簡単な説明】
【００２７】
【図１】システム構成を示した模式図である。
【図２】処理の流れを示したフローチャートである。
【図３】同名で同一内容の既存ファイルが存在した場合の保存方法一覧表である。
【図４】同名で異なる内容の既存ファイルが存在した場合の保存方法一覧表である。
【図５】同名の既存ファイルが存在せず別名で同一内容の既存ファイルが存在した場合の保存方法一覧表である。
【図６】同名の既存ファイルおよび別名で同一内容の既存ファイルが存在しない場合の保存方法一覧表である。
【図７】ブラウザからネットワーク上のファイルのURLを本発明によるコンピュータプログラムに通知する方法を示した模式図である。（実施例１）
【図８】本発明によるコンピュータプログラムの実行画面を示す模式図である。（実施例１）
【図９】ファイルが画像データでない場合でも新ファイルと既存ファイルの同一性を視覚的に判断できるようにした表示方法の模式図である。
【符号の説明】
【００２８】
１００  ネットワーク
１０１  ネットワーク上に存在するｐｈｏｔｏ．ｊｐｇという名前のファイル
２００  端末機器
２０１  端末機器上に実装されているブラウザ
２０２  端末機器上に実装されている記憶装置
２０３  端末機器上の記憶装置に保存されているｐｉｃ．ｊｐｇという名前のファイル
２０４  端末機器上の記憶装置に保存されているｐｈｏｔｏ．ｊｐｇという名前のファイル
２０５  端末機器上に実装されている本発明によるコンピュータプログラム
【図１】
2005258862.tif 000003
【図２】
2005258862.tif 000004
【図３】
2005258862.tif 000005
【図４】
2005258862.tif 000006
【図５】
2005258862.tif 000007
【図６】
2005258862.tif 000008
【図７】
2005258862.tif 000009
【図８】
2005258862.tif 000010
【図９】
2005258862.tif 000011